(57)【特許請求の範囲】
【請求項１】
景品球排出樋の内部に設置され、流下するパチンコ球の衝突で音が鳴る金属製の鈴と、
該鈴を取り付けるために景品球排出樋に形成された鈴用台座と、
前記鈴用台座に形成された板状の台座側係合手段と、
前記鈴に形成された鈴側係合手段とを有し、
前記台座側係合手段は、鈴用台座の端面からの高さが前記鈴の鈴底の肉厚より若干小さい首部と、その首部上に突設され両横に固定片を張り出させてなる頭部とからなり、
一方、鈴側係合手段は、前記台座側係合手段の頭部を通すために鈴底中心に開設した長孔と、該長孔に連続させて鈴底に開設され前記台座側係合手段の首部回りで鈴の限定範囲の回転を可能にする切欠部とからなり、
鈴の長孔を台座側係合手段の頭部に嵌め合わせて押し込むことにより鈴の鈴底を鈴用台座の端面に当接させ、この状態で鈴を回転させることにより鈴底と台座側係合手段の固定片を擦り合わせ、もって鈴用台座の端面と固定片で鈴底を挟み付けるようにした景品球排出樋の鈴取付構造。
【請求項２】
前記固定片の鈴底と接する下面を丸くしたことを特徴とする請求項１記載の景品球排出樋の鈴取付構造。
【発明の詳細な説明】
【０００１】
【産業上の利用分野】
本発明は、景品球排出樋の内部に設置される鈴の取付構造に関する。
【０００２】
【従来の技術】
パチンコ機の機構板には、球放出装置から放出されるパチンコ球を前面の球皿に導く景品球排出樋が設けられている。そして、その景品球排出樋の内部に、流下するパチンコ球の衝突で音が鳴る円形カップ形状の鈴が取り付けられている。而して、従来の鈴の取付構造は、鈴底の中心に透孔を穿設すると共に景品球排出樋に雌ネジを有する軸状の鈴用台座を突設し、前記鈴の透孔にネジを通して鈴用台座の雌ネジに締め付け、以て、鈴用台座に鈴を固定するようにしていた。
【０００３】
【発明が解決しようとする課題】
上記鈴の取付構造は、ネジの締め付けで鈴を鈴用台座に固定するものであるため、ネジを締める作業が面倒で能率が悪く、その上、うっかりしてネジを落とすとそのネジが機構板の内部に入り込む場合があり、落ちたネジを取り出すためのロスタイムも作業性を悪くする一因になっていた。また、通常鈴用台座は機構板と一体の合成樹脂製であるから、ネジを締め過ぎるとネジ山が壊れて固定できなくなる可能性もあった。
【０００４】
本発明は、上記に鑑みなされたもので、その目的は、簡単・迅速に取り付けることができ、しかも長期間使用しても固定が緩まない景品球排出樋の鈴取付構造を提供することにある。
【０００５】
【課題を解決するための手段】
上記の目的を達成するため本発明は、景品球排出樋の内部に設置され流下するパチンコ球の衝突で音が鳴る金属製の鈴と、該鈴を取り付けるために景品球排出樋に形成された鈴用台座と、前記鈴用台座に形成された板状の台座側係合手段と、前記鈴に形成された鈴側係合手段とを有し、前記台座側係合手段は、鈴用台座の端面からの高さが前記鈴の鈴底の肉厚より若干小さい首部と、その首部上に突設され両横に固定片を張り出させてなる頭部とからなり、一方、鈴側係合手段は、前記台座側係合手段の頭部を通すために鈴底中心に開設した長孔と、該長孔に連続させて鈴底に開設され前記台座側係合手段の首部回りで鈴の限定範囲の回転を可能にする切欠部とからなり、鈴の長孔を台座側係合手段の頭部に嵌め合わせて押し込むことにより鈴の鈴底を鈴用台座の端面に当接させ、この状態で鈴を回転させることにより鈴底と台座側係合手段の固定片を擦り合わせ、もって鈴用台座の端面と固定片で鈴底を挟み付けるようにした景品球排出樋の鈴取付構造を提供する。
【０００６】
【作用】
鈴側係合手段と台座側係合手段は、一方に他方を嵌め合わせて回す操作の固定構造であるから、ネジを通して締めるような煩わしさがない。そして、鈴用台座の端面と固定片で鈴底を挟み付けるようにしているため長期間使用しても鈴の固定が緩まない。
【０００７】
【実施例】
以下に本発明の実施例を図面を参照しつつ説明する。なお、図１は景品球排出樋の要部を示す断面正面図、図２は景品球排出樋の要部を示す斜視図、図３は図１のＸ−Ｘ線断面図、図４は要部を示す分解斜視図、図５（ａ），（ｂ）は鈴側係合手段と台座側係合手段の要部拡大正面図、図６は鈴側係合手段と台座側係合手段を嵌め合わせた状態の要部拡大正面図、図７は鈴の固定状態を示す鈴側係合手段と台座側係合手段の要部拡大正面図、図８は図３のＹ−Ｙ線拡大断面図である。
【０００８】
パチンコ機Ｐの裏側には図９に示すように機構板１が取り付けられている。機構板１には、パチンコ球の流れに従って上から順に、パチンコ球を貯める球タンク２と、該球タンク２のパチンコ球を案内する導出樋３と、導出樋３の端部に接続され且つ景品球や貸球を放出する球放出装置４と、該球放出装置４とパチンコ機Ｐ前面の球皿（図示せず）を繋ぐ景品球排出樋５などが設置されている。
【０００９】
前記景品球排出樋５は、第一屈曲部５ａと第二屈曲部５ｂを有するほぼ縦クランク形状であって、上の球皿に連通する球出口６が第一屈曲部５ａに開口し、該球出口６の底辺と側辺を囲うように受樋７が形成されている。また、第一屈曲部５ａには前記受樋７の横に溢れ球通路８が設けられており、該溢れ球通路８が第二屈曲部５ｂを経て下の球皿に繋がっている。そしてさらに、景品球排出樋５の上端開口には、放出されるパチンコ球を球出口６側に向かわせる湾曲樋９が設けられている。
【００１０】
景品球排出樋５の内部には、前記湾曲樋９と球出口６の間と、第二屈曲部５ｂとに夫々鈴１０Ａ，１０Ｂが設置されている。上の鈴１０Ａは、図１のように湾曲樋９のほぼ終端を通る垂直線上に中心があり、その垂直線より左側に球放出装置４の放出口４ａが位置する。従って、球放出装置４から放出されるパチンコ球は全て鈴１０Ａの左半分に衝突する。一方、下の鈴１０Ｂは、景品球排出樋５の第二屈曲部５ｂのコーナー上部に位置しており、パチンコ球が横向きから下向きに方向を変えるポイントにある。従って、流下するパチンコ球は殆ど鈴１０Ｂの右側下半部に衝突する。
【００１１】
そこで、先ず鈴１０Ａについて説明する。鈴１０Ａの設置ポイントには景品球排出樋５から図３，図４に示すような軸状の鈴用台座１１が突設されている。この鈴用台座１１には、軸端面１１ａに板状の台座側係合手段１２が突設されている。該台座側係合手段１２は、鈴用台座１１の軸径と同じ幅の首部１２ａと、両横に固定片１２ｂ，１２ｂを張り出させた頭部１２ｃとからなり、首部１２ａの高さｔが鈴１０Ａの肉厚より若干小さく設定されている。なお、頭部１２ｃの固定片１２ｂ下面は図８のように丸くしてある。
【００１２】
鈴１０Ａは、図４に示したように、金属を円形カップ状の形態に加工したものであり、鈴底の中心に鈴側係合手段１３を有する。この鈴側係合手段１３は、図５（ｂ）に示したように、台座側係合手段１２の頭部１２ｃと同形状の長孔１３ａと、該長孔１３ａの両横に連続し且つ一辺１３ｂが鈴１０Ａの中心Ｏを中心とする曲線であるほぼ三角形の切欠部１３ｃ，１３ｃとからなる。二個の切欠部１３ｃ，１３ｃは、鈴１０Ａの中心Ｏを基準にして点対称の位置に形成されており、その二個の切欠部１３ｃ，１３ｃと長孔１３ａによって作られる空間に前記台座側係合手段１２の首部１２ａが嵌まり得る。なお、図３中、符号１４は景品球排出樋５を塞ぐ蓋カバーであり、該蓋カバー１４に鈴１０Ａの音を外部に響かせるための透かし１５が形成されている。
【００１３】
次に、鈴１０Ａの取付方法を説明する。先ず、図５（ａ），（ｂ）の状態から図６のように、鈴１０Ａの鈴側係合手段１３の長孔１３ａを台座側係合手段１２の頭部１２ｃに嵌め合わせ、鈴１０Ａを台座側係合手段１２の軸端面１１ａに当接させる。この状態で図７のように鈴１０Ａを反時計回りに約４５度回転させると切欠部１３ｃ，１３ｃに台座側係合手段１２の首部１２ａが嵌まる。このとき、頭部１２ｃの固定片１２ｂの下面に鈴１０Ａの鈴底の一部が入り込むが、鈴１０Ａの肉厚より首部１２ａの高さｔが若干少ないため、図８のように固定片１２ｂの丸くなっている下面が鈴１０Ａに擦られて僅かに潰れ、それが抵抗となって鈴用台座１１に鈴１０Ａが固定される。また、鈴１０Ａの固定を解除するには、図７において鈴１０Ａを前記と逆向きである時計回りに回転させればよい。
【００１４】
而して、この状態で図１二点鎖線のように球放出装置４からパチンコ球が放出されると、そのパチンコ球は真っ直ぐ下に落下するか、或いは、湾曲樋９に沿って斜め下方に落下する。パチンコ球がそのどちらのルートを通っても鈴１０Ａの左半部に衝突し、その衝突で鈴１０Ａが鳴り響く。また、パチンコ球が鈴１０Ａの左半部に衝突すると、その衝突によって図１において鈴１０Ａに反時計回りの回転モーメントが作用する。前記のように鈴１０Ａは、図１において反時計回りの回転で固定され、時計回りの回転で固定解除されるように設定されているから、パチンコ球の衝突によって反時計回りの回転モーメントが作用することで、鈴１０Ａは緩むことなく確実に固定状態が持続する。従って、パチンコ球が長期間鈴１０Ａに衝突しても固定が緩まない。
【００１５】
一方、第二屈曲部の鈴１０Ｂは図示しないが、切欠部１３ｃの位置が全く対称である点を除いて鈴１０Ａと同一構造である。また、鈴１０Ｂに対応する鈴用台座１１も鈴１０Ａに対応するものと全く同一であり、従って、鈴１０Ｂは図９において鈴１０Ａと反対向きである時計回りに約４５度回転させることで鈴用台座１１に取り付け得る。前記のように下の鈴１０Ｂは、溢れ球通路８から横向きに流れてきたパチンコ球が下向きに方向を変えるポイントにあるから、パチンコ球は殆ど鈴１０Ｂの右側下半部に衝突し、その衝突によって図９において時計回りの回転モーメントが作用する。従って、パチンコ球が繰り返し衝突しても鈴１０Ｂの固定は緩まない。
【００１６】
以上本発明を実施例について説明したが、もちろん本発明は上記実施例に限定されるものではない。例えば、鈴用台座１１は景品球排出樋５の蓋カバー１４側に突設するようにしてもよい。
【００１７】
また、鈴用台座１１及び台座側係合手段１２は、景品球排出樋５又は蓋カバー１４に別部品として後付けする方法と、景品球排出樋５又は蓋カバー１４の成型時に合成樹脂で一体成形する方法が考えられるが、合成樹脂で一体成形する後者の方が後付けする前者の方法に比べて作業性及びコストの面で優れる。
【００１８】
【発明の効果】
本発明の鈴取付構造は、一方に他方を嵌め合わせて回す操作の固定構造を採用したから、一々ネジを通して締め付けるような煩わしさがなく、しかもネジの落下による作業ロスがないため作業性を飛躍的に向上させることができる。そして、鈴用台座の端面と固定片で鈴底を挟み付けるようにしているため長期間使用しても鈴の固定が緩まない、などの効果がある。
【００１９】
また、請求項２のように固定片の下面を丸くしておけば、その丸くなっている下面が鈴底に擦られて僅かに潰れるため、その潰れが鈴用台座に鈴を固定する抵抗となる。
【図面の簡単な説明】
【図１】  景品球排出樋の要部を示す断面正面図である。
【図２】  景品球排出樋の要部を示す斜視図である。
【図３】  図１のＸ−Ｘ線断面図である。
【図４】  要部を示す分解斜視図である。
【図５】  （ａ）は鈴側係合手段の要部拡大正面図、（ｂ）は台座側係合手段の要部拡大正面図である。
【図６】  鈴側係合手段と台座側係合手段を嵌め合わせた状態の要部拡大正面図である。
【図７】  鈴の固定状態を示す鈴側係合手段と台座側係合手段の要部拡大正面図である。
【図８】  図３のＹ−Ｙ線拡大断面図である。
【図９】  パチンコ機の裏面図である。
【符号の説明】
５    …景品球排出樋
１０Ａ，１０Ｂ…鈴
１１  …鈴用台座
１２  …台座側係合手段
１２ａ…首部
１２ｂ…固定片
１２ｃ…頭部
１３  …鈴側係合手段
１３ａ…長孔
１３ｃ…切欠部
【図１】
0003744009.tif 000002
【図２】
0003744009.tif 000003
【図３】
0003744009.tif 000004
【図４】
0003744009.tif 000005
【図５】
0003744009.tif 000006
【図６】
0003744009.tif 000007
【図７】
0003744009.tif 000008
【図８】
0003744009.tif 000009
【図９】
0003744009.tif 000010